【手続補正書】
【提出日】平成29年7月20日(2017.7.20)
【手続補正１】
【補正対象書類名】特許請求の範囲
【補正対象項目名】全文
【補正方法】変更
【補正の内容】
【特許請求の範囲】
【請求項１】
鉄道車両のディスクブレーキ用の複数の摩擦材ボタン状物（Ｔ）を支持するための支持プレート（１）において、
各ボタン状物（Ｔ）を前記支持プレート（１）と連結することを可能とする少なくとも１つの第１貫通孔（Ｆ１）であって、各第１貫通孔（Ｆ１）が領域を画成し、各第１貫通孔（Ｆ１）の領域のグループが前記支持プレート（１）に重心（ＢＡ）を画成する、第１貫通孔（Ｆ１）と、
前記少なくとも１つの第１貫通孔（Ｆ１）の周囲に配置され、それぞれが少なくとも２つの第１小孔（５）を備える少なくとも１つの第１小孔又はスロットグループ（５）と、
対応するブロッキングエレメント（ＭＢ）を挿入して前記支持プレート（１）を基体プレート（２）と連結するための複数の第２貫通孔（Ｆ２）であって、前記支持プレート（１）の周囲の近傍に配置された第２貫通孔（Ｆ２）とを備え、
前記第１小孔（５）が、前記支持プレートの第１部分（７）と交互に配置されて、鉄道車両の制動フェーズ中に、前記支持プレート（１）と前記基体プレート（２）との間の温度差の有無に係わらず、前記ボタン状物（Ｔ）に加わる垂直力の影響により前記第１部分（７）がその弾性領域において変形して、前記ボタン状物（Ｔ）上の接触圧の分布が互いに略均一となるようになっていることを特徴とする支持プレート（１）。
【請求項２】
各第１小孔グループ（５）が、前記少なくとも１つの第１貫通孔（Ｆ１）の周囲に配置されていることを特徴とする、請求項１に記載の支持プレート。
【請求項３】
各第１小孔グループ（５）が、少なくとも２つの第１貫通孔（Ｆ１）の周囲に配置されていることを特徴とする、請求項１又は２に記載の支持プレート（１）。
【請求項４】
前記支持プレート（１）を前記基体プレート（２）と更に連結するように更なるブロッキングエレメント（ＭＢＡ，ＭＢＡ’）を挿入するための第３貫通孔（Ｆ３，Ｆ３’）であって、前記重心（ＢＡ）に又は前記重心（ＢＡ）の近傍に配置された第３貫通孔（Ｆ３，Ｆ３’）を備えることを特徴とする、請求項１〜３のいずれか一項に記載の支持プレート（１）。
【請求項５】
少なくとも１つの第２貫通孔（Ｆ２）の近傍に配置された少なくとも１つの第２小孔又はスロット（６）であって、好ましくは各第２貫通孔（Ｆ２）に対して１つの第２小孔（６）を備えることを特徴とする、請求項１〜４のいずれか一項に記載の支持プレート（１）。
【請求項６】
前記第２小孔（６）のそれぞれが湾曲し、且つ、対応する第２貫通孔（Ｆ２）から第２所定距離（Ｄ２）の位置において前記支持プレート（１）に配置されたことを特徴とする、請求項１〜５のいずれか一項に記載の支持プレート（１）。
【請求項７】
対応するボタン状物（Ｔ）の回転を防止し、前記支持プレート（１）上の前記ボタン状物の配向をブロックする少なくとも１つの回転防止エレメント（ＭＡ）を備えることを特徴とする、請求項１〜６のいずれか一項に記載の支持プレート（１）。
【請求項８】
各第１小孔グループが３個の第１小孔（５）を備えることを特徴とする、請求項１〜７のいずれか一項に記載の支持プレート（１）。
【請求項９】
前記３個の第１小孔（５）が三角形の頂点に配置されるとともに、各第１小孔が、第１貫通孔（Ｆ１）から第１所定距離（Ｄ１）において支持プレート（１）に配置されることを特徴とする、請求項１〜８のいずれか一項に記載の支持プレート（１）。
【請求項１０】
１２個の第１貫通孔（Ｆ１）を備え、ここで、６個の第１貫通孔（Ｆ１）が前記支持プレート（１）の第１中央部に配置され、３個の第１貫通孔（Ｆ１）が前記支持プレート（１）の第２側部に配置され、３個の第１貫通孔（Ｆ１）が前記支持プレート（１）の第３側部に配置され、且つ、
各第１貫通孔（Ｆ１）に対して１つずつ設けられた１２個の第１小孔グループを備え、ここで、６個の第１の第１小孔グループが前記支持プレート（１）の前記第１中央部に配置され、３個の第２の第１小孔グループが前記支持プレート（１）の前記第２側部に配置され、３個の第３の第１小孔グループが前記支持プレート（１）の前記第３側部に配置されることを特徴とする、請求項１〜９のいずれか一項に記載の支持プレート（１）。
【請求項１１】
前記支持プレート（１）の前記第１中央部に設けられた前記６個の第１貫通孔（Ｆ１）の中心が変形六角形の頂点に配置され、該変形六角形が、中心として前記重心（ＢＡ）を有するとともに６つの等しい辺で形成され、前記支持プレート（１）の前記第２側部に設けられた前記３つの第１貫通孔（Ｆ１）の中心が第１三角形の頂点に配置され、前記支持プレート（１）の前記第３側部に設けられた前記３つの第１貫通孔（Ｆ１）の中心が第２三角形の頂点に配置され、各第１貫通孔（Ｆ１）の中心が、各第１小孔グループの前記３つの第１小孔（５）により形成される対応する三角形の重心と一致していることを特徴とする、請求項９又は１０に記載の支持プレート（１）。
【請求項１２】
９個の第１貫通孔（Ｆ１）を備え、ここで、３個の第１貫通孔（Ｆ１）が前記支持プレート（１）の第１中央部に配置され、３個の第１貫通孔（Ｆ１）が前記支持プレート（１）の第２側部に配置され、３個の第１貫通孔（Ｆ１）が前記支持プレート（１）の第３側部に配置され、且つ、
各第１貫通孔（Ｆ１）に対して１つずつ設けられた９個の第１小孔グループを備え、ここで、３個の第１の第１小孔グループが前記支持プレート（１）の前記第１中央部に配置され、３個の第２の第１小孔グループが前記支持プレート（１）の前記第２側部に配置され、３個の第３の第１小孔グループが前記支持プレート（１）の前記第３側部に配置されることを特徴とする、請求項１〜９のいずれか一項に記載の支持プレート（１）。
【請求項１３】
前記支持プレート（１）の前記第１中央部に設けられた前記３個の第１貫通孔（Ｆ１）の中心が、第１三角形の頂点に配置され、前記支持プレート（１）の前記第２側部に設けられた前記３個の第１貫通孔（Ｆ１）の中心が、第２三角形の頂点に配置され、前記支持プレート（１）の前記第３側部に設けられた前記３個の第１貫通孔（Ｆ１）の中心が、第３三角形の頂点に配置されることを特徴とする、請求項１２に記載の支持プレート（１）。
【請求項１４】
６個の第１貫通孔（Ｆ１）を備え、且つ、各第１貫通孔（Ｆ１）に対して１つずつ設けられた６個の第１小孔グループを備え、ここで、３個の第１貫通孔（Ｆ１）の中心が、第１三角形の頂点に配置され、３個の第１貫通孔（Ｆ１）の中心が、第２三角形の頂点に配置されていることを特徴とする、請求項１〜９のいずれか一項に記載の支持プレート（１）。
【請求項１５】
各第１小孔グループの前記第１小孔（５）が円周に沿って配置されていることを特徴とする、請求項１〜８のいずれか一項に記載の支持プレート（１）。
【請求項１６】
各第１小孔グループ（５）が、３個の第１貫通孔（Ｆ１）の周囲に配置され、前記３個の第１貫通孔（Ｆ１）の中心が、前記第１小孔（５）が配置された円周に対して同心の円周に内接する三角形の頂点に配置されていることを特徴とする、請求項１〜１５のいずれか一項に記載の支持プレート（１）。
【請求項１７】
鋼鉄、好ましくはＡＩＳＩ４２２から作られることを特徴とする、請求項１〜１６のいずれか一項に記載の支持プレート（１）。
【請求項１８】
請求項１〜１７のいずれか一項に記載の支持プレート（１）と、
複数の摩擦材ボタン状物（Ｔ）とを備え、
各ボタン状物（Ｔ）が、前記支持プレート（１）の少なくとも１つの第１貫通孔（Ｆ１）と連結される第１連結手段（Ｃ，Ｃ１，Ｃ２，Ｃ３）を少なくとも備え、
各ボタン状物が、対応する第１小孔グループにおいて前記支持プレート（４）上に連結される、摩擦パッド（Ｐ）。
【請求項１９】
前記支持プレート（１）が、各第１小孔グループのためのスペーサを備え、前記スペーサが、各第１小孔グループの前記第１小孔（５）により画成される前記支持プレート（１）の領域を占める大きさになっているとともに、所定の厚さを有するスペーサを備え、
各ボタン状物（Ｔ）が、摩擦材（ＴＡ）の部分及び支持エレメント（Ｓ）を備え、前記支持エレメント（Ｓ）が、摩擦材（ＴＡ）の前記部分と接触する第１面（Ｓ１）と、前記第１面（Ｓ１）に対向する第２面（Ｓ２）とを備えることを特徴とする、請求項１８に記載の摩擦パッド（Ｐ）。
【請求項２０】
各ボタン状物（Ｔ）が、摩擦材（ＴＡ）の部分及び支持エレメント（Ｓ）を備え、
前記支持エレメント（Ｓ）が、摩擦材（ＴＡ）の前記部分と接触する第１面（Ｓ１）と、第２面（Ｓ２）と、前記第２面（Ｓ２）に対して平行且つ離間して段差（Ｒ）を形成する第３面（Ｓ３）とを備え、ボタン状物（Ｔ）を前記支持プレート（１）と連結すると、前記第３面（Ｓ３）が前記支持プレート（１）と接触し、前記第２面（Ｓ２）が前記支持プレート（１）から第３所定距離（Ｄ３）に位置するようになっていることを特徴とする、請求項１８に記載の摩擦パッド（Ｐ）。
【請求項２１】
前記支持プレート（１）が、各第１小孔グループのためのスペーサを備え、前記スペーサが、各第１小孔グループの前記第１小孔（５）により画成される前記支持プレート（１）の領域を占める大きさになっているとともに、所定の厚さを有することを特徴とする、請求項１８〜２０のいずれか一項に記載の摩擦パッド（Ｐ）。
【請求項２２】
前記支持エレメント（Ｓ）の前記第３面（Ｓ３）が、略三角形状又は円形状又は凸状多角形状を有することを特徴とする、請求項２０又は２１に記載の摩擦パッド（Ｐ）。
【請求項２３】
各ボタン状物（Ｔ）が、変形六角形の断面を有し、該変形六角形が、第２の長さを有する３つの第２の辺と交互に配置された第１の長さを有する３つの第１の辺を有し、前記第２の長さが前記第１の長さよりも短いことを特徴とする、請求項１８〜２２のいずれか一項に記載の摩擦パッド（Ｐ）。
【請求項２４】
各ボタン状物（Ｔ）が、三角形の断面を有することを特徴とする、請求項１８〜２２のいずれか一項に記載の摩擦パッド（Ｐ）。
【請求項２５】
基体プレート（２）と、ダブテールエレメント（３）とを備え、
前記基体プレート（２）が、前記支持プレート（１）から所定距離（ＤＯ）に位置するように、少なくとも１つのスペーサ（２３）を介して前記支持プレート（１）に連結され、前記ダブテールエレメント（３）が、前記基体プレート（２）に固定されることを特徴とする、請求項１８〜２４のいずれか一項に記載の摩擦パッド（Ｐ）。
【手続補正２】
【補正対象書類名】明細書
【補正対象項目名】００８２
【補正方法】変更
【補正の内容】
【００８２】
更に、第２小孔６は、各第２小孔６の中心が、対応する第２貫通孔Ｆ２の中心と重心ＢＡとを結ぶ線上に位置付けられるように、支持プレート１上に配置されている。
【手続補正３】
【補正対象書類名】明細書
【補正対象項目名】０１２８
【補正方法】変更
【補正の内容】
【０１２８】
記載の第５実施例において、各第１小孔グループは、３個の第１貫通孔Ｆ１の周囲に配置されている。しかしながら、図面には示していないが、各第１小孔グループは、２個の第１貫通孔や３個を超える数の第１貫通孔の周りに配置されてもよい。